(57)【要約】【課題】位置決め穴に位置決め治具を挿入し、固定スクロールとメインフレームとの相対位置を精度よく位置決めすることができるスクロール圧縮機を提供する。【解決手段】固定スクロール４とメインフレーム８の位置決め手段を有してなるスクロール圧縮機において、固定スクロール４とメインフレーム８に、夫々穴中心位置を同一として連通する一対の位置決め穴９ａ，９ｂ　を設け、位置決め穴９ａ，９ｂ　の径方向中心線上を互いに外側に向け、夫々逆方向に突出し、少なくとも何れか一方がテーパねじ１０ｃ　の回転により押出される押付棒１０ｄ　を備えた位置決め治具１０を設け、位置決め治具１０を一対の位置決め穴９ａ，９ｂ　に夫々挿入し、押付棒１０ｄ　が固定スクロール４とメインフレーム８との境界面に当接するように押出し、一対の位置決め治具１０の押付棒１０ｄ　の押出し長さが同一となり、かつ押付け力により押出し長さが変化しない位置で位置決めする。【選択図】　図２
2004084612.tif 000002
【特許請求の範囲】
【請求項１】
密閉容器内に電動機と圧縮部を配置し、同圧縮部を鏡板に渦捲き状のラップを有する固定スクロールと、同固定スクロールと互いに噛み合わせて複数の圧縮室を形成する旋回スクロールと、前記電動機の回転力を伝達し、前記旋回スクロールを旋回駆動するシャフトと、同シャフトの一端に形成された主軸を支承するメインフレームとから構成してなり、前記固定スクロールと前記メインフレームの相対位置を位置決めする位置決め手段を有し、前記固定スクロールを前記メインフレームに、相対向する夫々の当接面を係合し固定支持してなるスクロール圧縮機において、
前記固定スクロールと前記メインフレームとの径方向中心線上に、少なくとも一方が開口し、軸方向中心線が一致して連通する一対の位置決め穴を穿設し、ケーシングに垂直に挿入された回転軸と、同回転軸の下端に設けられたテーパねじと、前記回転軸に直交し、前記テーパねじの回転により少なくとも何れか一方が径方向中心線上を互いに外側に向け、夫々逆方向に突出し、前記ケーシングより押出される押付棒を備えた位置決め治具を設け、同位置決め治具を前記一対の位置決め穴に夫々挿入し、前記一対の位置決め治具の前記回転軸を連結具により連結すると共に、前記押付棒が前記固定スクロールと前記メインフレームとの境界面に当接するように押出し、前記一対の位置決め治具の押付棒の押出し長さが同一となり、かつ押付け力により押出し長さが変化しない位置で、前記固定スクロールと前記メインフレームとを位置決めしてなることを特徴とするスクロール圧縮機。
【請求項２】
前記固定スクロールと前記メインフレームの位置決め穴の穴径が異なる場合、夫々の穴径に対応する前記テーパねじと押付棒を、同一軸線上に別体で夫々設け、回転用のスピンドルの先端側の前記テーパねじのピッチを反先端側のピッチより大きくすると共に、前記先端側テーパねじのスピンドルに継手機構を設け、前記先端側の押付棒の押出し力が所定値に達したとき、前記継手機構がはずれて前記スピンドルが空転し、その後前記反先端側の押付棒が、対応する前記位置決め穴を押付けて、前記固定スクロールと前記メインフレームとを位置決めしてなることを特徴とする請求項１記載のスクロール圧縮機。
【発明の詳細な説明】
【０００１】
【発明の属する技術分野】
本発明は、スクロール圧縮機に係り、詳しくは固定スクロールとメインフレームとの相対位置を位置決めする治具および方法に関する。
【０００２】
【従来の技術】
従来のスクロール圧縮機は例えば図６、図７及び図８に示すように、密閉容器２１内に電動機２３と、この電動機２３で駆動される圧縮部２２を配置し、同圧縮部２２を鏡板２４ａ　に渦捲き状のラップを有する固定スクロール２４と、同固定スクロール２４と互いに噛み合わせて複数の圧縮室２５を形成する旋回スクロール２６と、前記電動機２３の回転力を伝達し、前記旋回スクロール２６を旋回駆動するシャフト２７と、同シャフト２７の一端に形成された主軸２７ａ　を支承すると共に、前記固定スクロール２４を固定支持するメインフレーム２８とから構成している。
【０００３】
前記固定スクロール２４の外周近傍に、軸中心から径方向に相対向し、軸方向に貫通する複数の位置決め穴２９ａ　を設けると共に、前記メインフレーム２８に、前記位置決め穴２９ａ　に夫々穴中心位置を同一として連通する位置決め穴２９ｂ　を設ける。そして、この位置決め穴２９ａ，２９ｂ　に位置決め用のガイドピン３０を挿入し、前記固定スクロール２４と前記メインフレーム２８との相対位置の位置決めを行う。
【０００４】
上記構成において、位置決め後、図８（Ａ）及び（Ｂ）に示すように、前記固定スクロール２４と前記メインフレーム２８とを複数のボルト３１により、締結固定する。この時、前記ボルト３１は前記固定スクロール２４の表面より突出しないように、その頭部を凹部に埋め込むようになされている。
しかしながら、上記従来の位置決め方法の場合、位置決め穴２９ａ，２９ｂ　の穴径とガイドピン３０の外径との間の隙間ｓにより、精度よく位置決めすることが困難であった。
【０００５】
【発明が解決しようとする課題】
本発明は上記問題点に鑑みなされたもので、複数の位置決め穴に位置決め治具を挿入し、固定スクロールとメインフレームとの相対位置を精度よく位置決めすることができ、生産性を向上することができるスクロール圧縮機を提供することを目的としている。
【０００６】
【課題を解決するための手段】
本発明は上記の課題を解決するためなされたもので、密閉容器内に電動機と圧縮部を配置し、同圧縮部を鏡板に渦捲き状のラップを有する固定スクロールと、同固定スクロールと互いに噛み合わせて複数の圧縮室を形成する旋回スクロールと、前記電動機の回転力を伝達し、前記旋回スクロールを旋回駆動するシャフトと、同シャフトの一端に形成された主軸を支承するメインフレームとから構成してなり、前記固定スクロールと前記メインフレームの相対位置を位置決めする位置決め手段を有し、前記固定スクロールを前記メインフレームに、相対向する夫々の当接面を係合し固定支持してなるスクロール圧縮機において、
前記固定スクロールと前記メインフレームとの径方向中心線上に、少なくとも一方が開口し、軸方向中心線が一致して連通する一対の位置決め穴を穿設し、ケーシングに垂直に挿入された回転軸と、同回転軸の下端に設けられたテーパねじと、前記回転軸に直交し、前記テーパねじの回転により少なくとも何れか一方が径方向中心線上を互いに外側に向け、夫々逆方向に突出し、前記ケーシングより押出される押付棒を備えた位置決め治具を設け、同位置決め治具を前記一対の位置決め穴に夫々挿入し、前記一対の位置決め治具の前記回転軸を連結具により連結すると共に、前記押付棒が前記固定スクロールと前記メインフレームとの境界面に当接するように押出し、前記一対の位置決め治具の押付棒の押出し長さが同一となり、かつ押付け力により押出し長さが変化しない位置で、前記固定スクロールと前記メインフレームとを位置決めしてなる構成となっている。
【０００７】
また、前記固定スクロールと前記メインフレームの位置決め穴の穴径が異なる場合、夫々の穴径に対応する前記テーパねじと押付棒を、同一軸線上に別体で夫々設け、回転用のスピンドルの先端側の前記テーパねじのピッチを反先端側のピッチより大きくすると共に、前記先端側テーパねじのスピンドルに継手機構を設け、前記先端側の押付棒の押出し力が所定値に達したとき、前記継手機構がはずれて前記スピンドルが空転し、その後前記反先端側の押付棒が、対応する前記位置決め穴を押付けて、前記固定スクロールと前記メインフレームとを位置決めしてなる構成となっている。
【０００８】
【発明の実施の形態】
本発明の実施の形態について添付図面を参照して詳細に説明する。
図１は、本発明の実施例を示すスクロール圧縮機の側断面図、図２は、本発明の要部拡大図で、（Ａ）は固定スクロールとメインフレームとを組合せた断面図、（Ｂ）は（Ａ）のａ部のｂ側から見た拡大断面図、（Ｃ）（Ａ）のｃ矢視図（上面図）である。
【０００９】
図において、スクロール圧縮機は、密閉容器１内に電動機３と、この電動機３で駆動される圧縮部２を配置し、同圧縮部２を鏡板４ａに渦捲き状のラップを有する固定スクロール４と、同固定スクロール４と互いに噛み合わせて複数の圧縮室５を形成する旋回スクロール６と、前記電動機３の回転力を伝達し、前記旋回スクロール６を旋回駆動するシャフト７と、同シャフト７の一端に形成された主軸７ａを支承すると共に、前記固定スクロール４を固定支持するメインフレーム８とから構成している。
【００１０】
前記固定スクロール４の外周近傍に、軸中心から径方向に相対向し、軸方向に貫通する２つの位置決め穴９ａを設けると共に、前記メインフレーム８に、前記位置決め穴９ａに夫々穴中心位置を同一として連通する位置決め穴９ｂを設ける。そして、この位置決め穴９ａ，９ｂ　に後述する位置決め治具１０を設置し、前記固定スクロール４と前記メインフレーム８との相対位置の位置決めを行う。
【００１１】
前記位置決め治具１０は、図２（Ｂ）に示すように、ケーシング１０ａ　内に挿入される回転軸用のスピンドル１０ｂ　と、同スピンドル１０ｂ　の先端に取付けられ、前記ケーシング１０ａ　内に収納されるテーパねじ１０ｃ　と、前記位置決め穴９ａ，９ｂ　の径方向中心線上を互いに外側に向け、夫々逆方向に突出し、少なくとも何れか一方が前記テーパねじ１０ｃ　の回転により押出される押付棒１０ｄ　を備えた構成となっている。
【００１２】
上記構成において、前記位置決め治具１０を前記２つの位置決め穴９ａ，９ｂ　に夫々挿入し、前記２つの位置決め治具１０のスピンドル１０ｂ　の先端部を、連結具１１により連結し、前記スピンドル１０ｂ　の左右方向の移動を一定に保つ。そして、前記押付棒１０ｄ　が前記固定スクロール４と前記メインフレーム８との境界面Ｋに当接するように、前記２つのテーパねじ１０ｃ　を夫々同一方向（図２Ｃの矢印）に回転させて前記押付棒１０ｄ　を前記連結具１１と直交する方向に押出す。
【００１３】
そして、図２（Ｃ）に示すように、前記２つの位置決め治具１０の押付棒１０ｄ　の押出し長さＴ１，Ｔ２　が同一となり、かつ押付け力により押出し長さＴ１，Ｔ２　が変化しない位置で、前記固定スクロール４と前記メインフレーム８とを位置決めしてなる構成となっている。
また、位置決め後、図４（Ａ）及び（Ｂ）に示すように、前記固定スクロール４と前記メインフレーム８とを複数のボルト１２により、締結固定する。この時、前記ボルト１２は前記固定スクロール４の表面より突出しないように、その頭部を凹部に埋め込むようになされている。
【００１４】
図３は本発明による他の実施例を示したもので、一方の押付棒１０ｄ’を固定したもので、同押付棒１０ｄ’を前記固定スクロール４と前記メインフレーム８との境界面Ｋに当接させ、他方の押付棒１０ｄ　を前記テーパねじ１０ｃ　の回転により、前記固定スクロール４と前記メインフレーム８との境界面Ｋに当接させ、押付棒１０ｄ　が変化しない位置で、位置決めする構成となっている。
【００１５】
図５は前記固定スクロール４の位置決め穴９ａ’　と、前記メインフレーム８の位置決め穴９ｂ’　の穴径が異なる場合の実施例で、前記固定スクロール４の穴径に対応するスピンドル１０ｂ１、テーパねじ１０ｃ１及び押付棒１０ｄ１と、前記メインフレーム８の穴径に対応するスピンドル１０ｂ２、テーパねじ１０ｃ２及び押付棒１０ｄ２を、同一軸線上に別体で夫々設け、先端側の前記テーパねじ１０ｃ２のピッチを反先端側のテーパねじ１０ｃ１のピッチより大きくすると共に、前記先端側テーパねじ１０ｃ２のスピンドル１０ｂ２にラチェット機構による継手機構１０ｅ　を設け、前記先端側の押付棒１０ｄ２の押出し力が所定値に達したとき、前記継手機構１０ｅ　がはずれて前記スピンドル１０ｂ２が１０ｅ１の作用で空転し、その後前記反先端側の押付棒１０ｂ１が、対応する前記位置決め穴９ａ’　を押付けて、前記固定スクロール４と前記メインフレーム８とを位置決めしてなる構成となっている。
【００１６】
以上に説明したように、前記位置決め治具１０を前記２つの位置決め穴９ａ，９ｂ　に夫々挿入し、前記２つの位置決め治具１０のスピンドル１０ｂ　の先端部を、連結具１１により連結し、前記スピンドル１０ｂ　の左右方向の移動を一定に保つ。そして、前記押付棒１０ｄ　が前記固定スクロール４と前記メインフレーム８との境界面Ｋに当接するように、前記２つのテーパねじ１０ｃ　を夫々同一方向に回転させて前記押付棒１０ｄ　を前記連結具１１と直交する方向に押出し、前記２つの位置決め治具１０の押付棒１０ｄ　の押出し長さＴ１，Ｔ２　が同一となり、かつ押付け力により押出し長さＴ１，Ｔ２　が変化しない位置で、前記固定スクロール４と前記メインフレーム８とを位置決めすることにより、相対位置を精度よく位置決めすることができ、生産性を向上することができるスクロール圧縮機となる。
【００１７】
【発明の効果】
以上のように本発明においては、複数の位置決め穴に位置決め治具を挿入し、固定スクロールとメインフレームとの相対位置を精度よく位置決めすることができ、生産性を向上することができるスクロール圧縮機となる。
【図面の簡単な説明】
【図１】本発明におけるスクロール圧縮機の側断面図である。
【図２】本発明の実施例を示す要部拡大図で、（Ａ）は固定スクロールとメインフレームとを組合せた断面図、（Ｂ）は（Ａ）のａ部のｂ側から見た拡大断面図、（Ｃ）（Ａ）のｃ矢視図（上面図）である。
【図３】本発明の他の実施例を示す要部拡大断面図である。
【図４】（Ａ）は本発明の実施例を示す圧縮部の上面図、（Ｂ）は（Ａ）のｄ部の斜視図である。
【図５】本発明の更に他の実施例を示す要部拡大断面図である。
【図６】従来例におけるスクロール圧縮機の側断面図である。
【図７】従来例における位置決めを説明するための要部斜視図である。
【図８】従来例における、（Ａ）は圧縮部の上面図、（Ｂ）は（Ａ）のｅ部の斜視図である。
【符号の説明】
１　密閉容器
２　圧縮部
３　電動機
４　固定スクロール
４ａ　鏡板
５　　圧縮室
６　旋回スクロール
７　シャフト
７ａ　主軸
８　メインフレーム
９ａ，９ｂ　位置決め穴
１０　位置決め治具
１０ａ　ケーシング
１０ｂ　スピンドル
１０ｃ　テーパねじ
１０ｄ　押付棒
１１　　連結具
１２　ボルト
【図１】
2004084612.tif 000003
【図２】
2004084612.tif 000004
【図３】
2004084612.tif 000005
【図４】
2004084612.tif 000006
【図５】
2004084612.tif 000007
【図６】
2004084612.tif 000008
【図７】
2004084612.tif 000009
【図８】
2004084612.tif 000010